(57)【要約】      （修正有）【課題】一定の形状の生体組織を容易に採取することができるレーザープローブを提供する。【解決手段】生体組織ＢＴの表面にレーザー光ＬＢを環状に照射して生体組織ＢＴに環状の切り込みを形成する照射部３１を備えたレーザープローブ３０は、照射部３１を構成する複数の光ファイバー３１Ａと、複数の光ファイバーを保持する保持部材３２とを備えている。照射したレーザー光が周方向に連続する環状の照射領域ＩＲを形成するように、複数の光ファイバーが互いに近接して配置されている。【選択図】図２
2015157035.tif 000002
【特許請求の範囲】
【請求項１】
生体組織の表面にレーザー光を環状に照射して該生体組織に環状の切り込みを形成する照射部を備えたことを特徴とするレーザープローブ。
【請求項２】
前記レーザー光を前記照射部に導く複数の光ファイバーを備え、
前記複数の光ファイバーの出射端は、前記照射部に環状に並べて配置されていることを特徴とする請求項１に記載のレーザープローブ。
【請求項３】
前記照射部の前記出射端に囲まれた領域の面積は、前記生体組織の前記レーザー光の環状の照射領域に囲まれる領域部分の面積と等しいかそれ以上の面積であることを特徴とする請求項２に記載のレーザープローブ。
【請求項４】
前記出射端は、多重の環状に配置されていることを特徴とする請求項２または３に記載のレーザープローブ。
【請求項５】
前記光ファイバーが外周面に沿って配置される軸部材を備えることを特徴とする請求項２から４のいずれか一項に記載のレーザープローブ。
【請求項６】
前記軸部材を中心軸線方向に貫通して先端面に開口する流体通路を備えることを特徴とする請求項５に記載のレーザープローブ。
【請求項７】
前記軸部材を中心軸線方向に貫通して先端面に開口する医療器具用の連絡通路を備えることを特徴とする請求項５に記載のレーザープローブ。
【請求項８】
前記軸部材は、先端部がテーパ状に拡径され、
前記光ファイバーは、前記軸部材の中心軸線方向に移動して前記出射端の環状配置の径を調節可能に設けられることを特徴とする請求項５に記載のレーザープローブ。
【請求項９】
請求項１から請求項８のいずれか一項に記載のレーザープローブと、
レーザー光を発生させるレーザー発生部と、
前記レーザー光を前記レーザープローブに導くレーザー光導光路と、
を備えたことを特徴とするレーザー装置。
【請求項１０】
前記レーザープローブは、軸部材と、該軸部材を中心軸線方向に貫通して先端面に開口する流体通路とを備え、
前記流体通路に流体を供給する流体供給部を備えたことを特徴とする請求項９に記載のレーザー装置。
【発明の詳細な説明】
【技術分野】
【０００１】
本発明は、医療用のレーザープローブおよびレーザー装置に関する。
【背景技術】
【０００２】
生体組織診断において、特に、皮膚の一部を採取して標本を作製するとき、あるいは、皮膚の一部を切除してその部分での皮膚の再生能力を観察するときなどに、皮膚を切除するための方法として、医療用トレパンを用いて行うパンチバイオプシーが多用されている（例えば、特許文献１を参照）。
【０００３】
また、歯科、医科におけるレーザー治療に用いられるレーザー治療装置が知られている（例えば、特許文献２を参照）。特許文献２には、複数の光ファイバーの出射端側を一列に配置する構成、曲線状に一列に配置する構成、中空正方形形状に配置する構成、中空円形形状に配置する構成が記載されている。
【先行技術文献】
【特許文献】
【０００４】
【特許文献１】特開２００３-３３９７１４号公報
【特許文献２】特開２００３-１３５４８３号公報
【発明の概要】
【発明が解決しようとする課題】
【０００５】
皮膚をはじめとするある種の軟組織は、その伸縮性、柔軟性のため、切除用の刃物が通り難く、切断が必ずしも容易でない。これは、皮膚にたるみがある場合や皮下組織が柔らかい場合などに特に顕著である。このような場合に、トレパンを無理に押し付けると、切断刃による圧迫が皮下組織や内臓にまで達してしまい、皮下組織等に予期しない損傷を生じさせることがある。このように、皮膚の採取には慎重な作業が求められており、また高度の経験も必要となることから、より安定的にかつ容易に皮膚の採取ができる方法が求められている。
【０００６】
一方、レーザーによって皮膚を切除して採取する場合、トレパンのように皮膚を圧迫する必要がないため、例えば褥瘡など、皮膚にたるみがある場合や皮下組織が柔らかい場合であっても、皮膚の切除が容易になり、皮下組織の損傷などを回避することができる。しかし、所定面積の皮膚を採取する場合には、皮膚にレーザーを照射して所定の形状に切り出す必要がある。この場合、術者は、手に持ったレーザープローブを移動させてレーザーの照射領域を採取する皮膚の形状に沿って移動させる必要がある。
【０００７】
例えば、特許文献２に記載のレーザープローブでは、複数の光ファイバーの出射端側を中空正方形形状に配置する構成、中空円形形状に配置する構成によって、その出射範囲内でより均一なレーザー光の照射が可能になる。これにより、皮膚をより短時間で蒸散または焼灼させて切除することができる可能性がある。しかし、複数の光ファイバーの出射端から出射したレーザーの照射領域は、互いに重なり合って点状に形成されるため、術者はレーザープローブを採取する皮膚の形状の全周に亘って移動させる必要がある。この場合、一定の形状の皮膚を採取するには、高度の技術と経験が必要となる。
【０００８】
また、特許文献２に記載のレーザープローブは、複数の光ファイバーの出射端側を一列に配置する構成または曲線状に一列に配置する構成によって、レーザープローブを採取する皮膚の形状に沿って移動させる動作を少なくすることができる可能性がある。しかし、この場合でも、術者はレーザープローブを回転させ、採取する皮膚の形状に沿って、順次、レーザー光を照射する必要がある。この場合、前にレーザーを照射した領域とその後にレーザーを照射する領域とを正確に位置合わせすることが必要になる。したがって、一定の形状の皮膚を採取するには、やはり高度の技術と経験が必要となる。
【０００９】
本発明は、前記課題に鑑みてなされたものであり、その目的とするところは、一定の形状の生体組織を容易に採取することができるレーザープローブおよびレーザー装置を提供することにある。
【課題を解決するための手段】
【００１０】
前記目的を達成すべく、本発明のレーザープローブは、生体組織の表面にレーザー光を環状に照射して該生体組織に環状の切り込みを形成する照射部を備えたことを特徴とする。また、本発明のレーザー装置は、前記のレーザープローブと、レーザー光を発生させるレーザー発生部と、前記レーザー光を前記レーザープローブに導くレーザー光導光路と、を備えたことを特徴とする。
【発明の効果】
【００１１】
本発明によれば、レーザープローブを移動させたり回転させたりすることなく、照射部によって生体組織にレーザー光を環状に照射することで、生体組織を蒸散または焼灼させて環状の切り込みを形成し、その切り込みの内側の生体組織を採取することができ、術者の技術や経験によらず一定の形状の生体組織を容易に採取することができる。
【図面の簡単な説明】
【００１２】
【図１】本発明の実施形態に係るレーザープローブを備えたレーザー治療装置の概略構成を示すブロック図。
【図２】図１に示すレーザープローブによって生体組織にレーザー光を照射した状態を示す斜視図。
【図３】図１に示すレーザープローブの照射部の平面図。
【図４】図３に示す照射部の変形例を示す平面図。
【図５】（ａ）、（ｂ）は、図３に示す照射部の変形例を示す平面図。
【図６】（ａ）、（ｂ）は、図３に示す照射部の変形例を示す平面図。
【図７】図２に示す照射部の変形例を示す断面図。
【発明を実施するための形態】
【００１３】
以下、図面を参照して本発明のレーザープローブの実施の形態について詳細に説明する。
【００１４】
（医療用レーザー装置）
図１は、医療用レーザー装置１００の概略構成を示すブロック図である。
【００１５】
医療用レーザー装置１００は、コントロールボックス１０と、把持部２０と、レーザープローブ３０とを備えている。コントロールボックス１０は、レーザー発生部１１、流体供給部１２および、これらを制御する制御部１３を備えている。
【００１６】
レーザー発生部１１は、レーザープローブ３０が照射するレーザー光ＬＢを発生させる。レーザー発生部１１は、例えば、波長が０．５μｍ以上かつ１０．６μｍ以下の範囲のレーザー光ＬＢを発生させる。レーザー発生部１１は、レーザー光導光路１１ａを介してレーザープローブ３０に接続されている。レーザー発生部１１は、発生させたレーザー光ＬＢを、レーザー光導光路１１ａを介してレーザープローブ３０が備える光ファイバー３１Ａの基端の入射端に入射させる。
【００１７】
流体供給部１２は、把持部２０に挿通される流体供給路１２ａを介してレーザープローブ３０に接続され、例えば、空気、生理食塩水、純水等の流体をレーザープローブ３０に供給する。制御部１３は、例えば、マイクロコンピュータ等によって構成され、レーザー発生部１１および流体供給部１２を制御する。
【００１８】
把持部２０は、術者が把持しやすい適宜の形状を有し、先端にレーザープローブ３０が着脱可能に装着されている。把持部２０は、レーザー光導光路１１ａおよび流体供給路１２ａを挿通させる貫通孔を有している。また、把持部２０は、公知の内視鏡装置２００に接続された内視鏡ユニット２０１のチューブを挿通させる貫通孔を有している。
【００１９】
（レーザープローブ）
次に、本実施形態のレーザー装置１００の特徴部分であるレーザープローブ３０について詳細に説明する。
【００２０】
図２は、レーザープローブ３０の先端部を部分的に破断して示す拡大斜視図である。図３は、レーザープローブ３０の照射部３１の平面図である。
【００２１】
レーザープローブ３０は、照射部３１を構成する複数の光ファイバー３１Ａと、該複数の光ファイバー３１Ａを保持する保持部材３２とを備えている。
【００２２】
光ファイバー３１Ａは、コアとクラッドにより構成され、基端はレーザー光ＬＢが入射する入射端とされ、先端はレーザー光ＬＢを射出する出射端３１ａとされている。光ファイバー３１Ａは、入射端が把持部２０に挿通されたレーザー光導光路１１ａに接続され、入射端に入射したレーザー光ＬＢを出射端３１ａに導いて、出射端３１ａから例えば皮膚、内臓等の生体組織ＢＴの表面の照射領域ＩＲに向けて照射する。
【００２３】
保持部材３２は、筒状の外殻３２ａと、外殻３２ａの内側に配置され、レーザープローブ３０の中心軸線ＣＬに沿って延びる軸部材３２ｂを有している。本実施形態において、外殻３２ａは円筒状に形成され、軸部材３２ｂは円柱状に形成されている。光ファイバー３１Ａは、外殻３２ａと軸部材３２ｂとの間に通されてレーザープローブ３０の中心軸線ＣＬに沿って延び、軸部材３２ｂの外周面に沿って軸部材３２ｂの周囲に配置されている。
【００２４】
レーザープローブ３０の照射部３１を構成する複数の光ファイバー３１Ａの出射端３１ａは、軸部材３２ｂの外周面に沿って、照射部３１に環状に並べて配置されている。複数の光ファイバー３１Ａの基端部は、結束されて保持部材３２に固定され、入射端が、例えば光コネクタによってレーザー光導光路１１ａに接続されている。本実施形態において、複数の光ファイバー３１Ａの出射端３１ａは、円環状に並べて配置されている。
【００２５】
本実施形態のレーザープローブ３０では、照射部３１から生体組織ＢＴに照射したレーザー光ＬＢが周方向に連続する環状の照射領域ＩＲを形成するように、複数の光ファイバー３１Ａが互いに近接して配置されている。なお、複数の光ファイバー３１Ａは、互いに間隔を開けて配置することもできる。しかし、生体組織ＢＴに連続的な切り込みを短時間で確実に形成する観点から、本実施形態のように光ファイバー３１Ａが互いに近接して配置されていることが好ましい。
【００２６】
また、光ファイバー３１Ａの出射端３１ａは多重の環状に配置され、周方向に隣接する光ファイバー３１Ａの隙間が径方向に隣接する光ファイバー３１Ａによって埋められている。図３では、説明のために、保持部材３２の径方向に２本の光ファイバー３１Ａが配置され、出射端３１ａの環状の配置が二重に形成される例を示しているが、保持部材３２の径方向に配置される光ファイバー３１Ａの数は２本以上であってもよい。例えば、軸部材３２ｂ、外殻３２ａ、および光ファイバー３１Ａの径の関係に応じて、保持部材３２の径方向に配置される光ファイバー３１Ａの数を、例えば１０本以上、２０本以上または５０本以上とすることもできる。
【００２７】
光ファイバー３１Ａの出射端３１ａは、射出されたレーザー光ＬＢが生体組織ＢＴに環状の照射領域ＩＲを形成すると共に、該照射領域ＩＲの内側にレーザー光ＬＢが照射されない非照射領域ＵＲを形成するように、環状に配置されている。具体的には、個々の光ファイバー３１Ａの出射端３１ａが、例えば平面状に形成され、出射端３１ａから略垂直にレーザー光ＬＢが射出される場合には、複数の光ファイバー３１Ａの出射端３１ａを環状に並べて配置して、その環状の配置の内側に出射端３１ａを配置しないことで、非照射領域ＵＲを形成することができる。
【００２８】
一方、個々の光ファイバー３１Ａの出射端３１ａが、例えばテーパ状に形成され、出射端３１ａからレーザー光ＬＢが放射状に射出される場合には、環状に配置された出射端３１ａによって囲まれた領域３１Ｂの面積が小さすぎると、非照射領域ＵＲを形成できないことがある。したがって、この場合には、生体組織ＢＴを蒸散または焼灼可能な距離で、出射端３１ａから放射状に射出されたレーザー光ＬＢが生体組織ＢＴの非照射領域ＵＲに照射されないように、出射端３１ａによって囲まれた領域３１Ｂの形状および面積を設定する必要がある。
【００２９】
出射端３１ａによって囲まれた領域３１Ｂの形状すなわち非照射領域ＵＲの形状は、採取する生体組織ＢＴの形状に対応して設定される。また、出射端３１ａによって囲まれた領域３１Ｂの面積、すなわち軸部材３２ｂの先端の面積は、非照射領域ＵＲの面積、すなわち採取する生体組織ＢＴの面積と等しいかそれ以上の面積とされている。換言すると、出射端３１ａは、採取する生体組織ＢＴの輪郭形状に沿って、その輪郭形状と等しいかそれよりも一回り大きい形状に並べられている。
【００３０】
前記のように、出射端３１ａの環状の配置の内側には軸部材３２ｂが配置されている。軸部材３２ｂは、複数の貫通孔を有している。これらの貫通孔は、軸部材３２ｂを軸方向に貫通し、軸部材３２ｂの先端面３２ｃに開口する流体通路３３および医療用器具の連絡通路３４として設けられている。
【００３１】
軸部材３２ｂの先端面３２ｃの中央部に開口する連絡通路３４は、内視鏡ユニット２０１のチューブを挿通させることができる直径を有している。また、連絡通路３４の直径を、例えば鉗子等の医療器具を挿通させることができる大きさにしてもよい。本実施形態のレーザープローブ３０は、連絡通路３４に挿通させた内視鏡ユニット２０１に固定して用いることもできる。
【００３２】
軸部材３２ｂの先端面３２ｃの周縁部に開口する流体通路３３は、把持部２０に挿通された流体供給路１２ａに接続されている。流体通路３３は、流体供給部１２から流体供給路１２ａを介して供給された生理食塩水を軸部材３２ｂの先端面３２ｃの開口からスプレー状に噴出させるように構成されている。なお、流体供給部１２から流体供給路１２ａを介して空気や純水を流体通路３３に供給し、軸部材３２ｂの先端面３２ｃの開口から噴出させてもよい。
【００３３】
次に、本実施形態のレーザー装置１００およびレーザープローブ３０の作用について説明する。
【００３４】
人間や動物の皮膚や内臓または植物などの生体組織ＢＴを所定の面積で採取する際に、術者は把持部２０を把持し、レーザープローブ３０の照射部３１を生体組織ＢＴの採取する部分に近接させ、または接触させる。この状態で、術者は、レーザー発生部１１にレーザー光ＬＢを発生させる。レーザー発生部１１が発生したレーザー光ＬＢは、レーザー光導光路１１ａを介してレーザープローブ３０の光ファイバー３１Ａの入射端に入射する。
【００３５】
光ファイバー３１Ａは、入射端に入射したレーザー光ＬＢを出射端３１ａに導いて、照射部３１に環状に並べられた出射端３１ａから射出する。照射部３１から生体組織ＢＴに照射されたレーザー光ＬＢは、生体組織ＢＴ上に環状の照射領域ＩＲを形成する。生体組織ＢＴは、環状の照射領域ＩＲにおいて蒸散または焼灼され、非照射領域ＵＲの周囲に環状の切り込みが形成される。
【００３６】
このように、本実施形態のレーザープローブ３０は、生体組織ＢＴの表面にレーザー光ＬＢを環状に照射して、生体組織ＢＴに環状の切り込みを形成する照射部３１を備えている。したがって、生体組織ＢＴを採取する際に、従来のトレパンを用いたパンチバイオプシーのように、生体組織ＢＴを圧迫する虞を回避することができる。これにより、例えば褥瘡など、皮膚にたるみがある場合や皮下組織が柔らかい場合であっても、皮膚に切り込みを形成することが容易になり、皮下組織の挫滅や損傷などを回避することができる。また、トレパンやメスを用いた切開と比較して、生体組織ＢＴに切り込みを形成する際の出血を抑制することができ、感染のリスクや痛みを低減することができ、被験者の抵抗感を低減することができる。
【００３７】
また、照射部３１による一回のレーザー光ＬＢの照射で採取する生体組織ＢＴの周囲の全周に亘って一度に切り込みを形成することができる。そのため、術者は、レーザープローブ３０を採取する皮膚の形状の全周に亘って移動させる必要がなく、また、レーザープローブ３０を回転させる必要もない。したがって、高度の技術と経験がなくても、一定の形状の生体組織ＢＴを短時間で容易に採取することができる。
【００３８】
ここで、本実施形態のレーザープローブ３０は、出射端３１ａによって囲まれた領域３１Ｂの面積が、生体組織ＢＴのレーザー光ＬＢの環状の照射領域ＩＲに囲まれる領域部分すなわち非照射領域ＵＲの面積と等しいかそれ以上の面積とされている。そのため、非照射領域ＵＲの生体組織ＢＴがレーザー光ＬＢによって影響を受けることが回避され、所望の面積を有する生体組織ＢＴを採取することが可能になる。
【００３９】
また、本実施形態のレーザープローブ３０では、周方向に連続する環状の照射領域ＩＲを形成するように、複数の光ファイバー３１Ａが互いに近接して配置されているので、採取する生体組織ＢＴの周囲を途切れることなく連続して切断することができる。
【００４０】
また、出射端３１ａが多重の環状に形成されていることで、周方向に隣接する出射端３１ａに形成された隙間を径方向に隣接する出射端３１ａによって埋めることができ、採取する生体組織ＢＴの周囲をより確実に連続して切断することができる。また、照射領域ＩＲの幅を広くして、生体組織ＢＴが切除される幅を広くすることができる。
【００４１】
また、レーザープローブ３０は、出射端３１ａの環状の配置の内側に配置され、光ファイバー３１Ａが外周面に沿って配置される軸部材３２ｂを備えるので、複数の光ファイバー３１Ａの出射端３１ａを容易に環状に並べて配置することができる。
【００４２】
さらに、レーザープローブ３０は、軸部材３２ｂを中心軸線ＣＬ方向に貫通して先端面３２ｃに開口する流体通路３３を備えている。そのため、例えば術者による制御部１３の操作に基づいて、流体供給部１２から流体通路３３を介して、例えば純水、生理食塩水、空気等を供給し、軸部材３２ｂの先端面３２ｃの開口から生体組織ＢＴに吹き付けることができる。これにより、非照射領域ＵＲにおける生体組織ＢＴを冷却し、照射領域ＩＲの熱によって非照射領域ＵＲの生体組織ＢＴが受ける影響を低減することができる。
【００４３】
また、レーザープローブ３０は、軸部材３２ｂを中心軸線ＣＬ方向に貫通して先端面３２ｃに開口する医療器具用の連絡通路３４を備えることで、例えば、内視鏡ユニット２０１のチューブを連絡通路３４に挿通させ、チューブに一体的に固定することができる。これにより、例えば、生体内の狭い部分に内視鏡ユニット２０１のチューブとレーザープローブ３０を挿入し、チューブ先端のレンズを介して映像を確認しながら、必要な個所の生体組織ＢＴを採取することが可能になる。また、環状に切り抜いた生体組織ＢＴを採取する際に、連絡通路３４を介して鉗子等の医療器具を生体組織ＢＴに到達させることができる。
【００４４】
以上説明したように、本実施形態のレーザー装置１００およびレーザープローブ３０によれば、レーザープローブ３０を移動させたり回転させたりすることなく、環状の照射領域ＩＲにレーザー光ＬＢを照射することで、生体組織ＢＴを蒸散または焼灼させて切り込みを形成し、環状の照射領域ＩＲの内側の非照射領域ＵＲの生体組織ＢＴを採取することができる。したがって、術者の技術や経験によらず一定の形状の生体組織ＢＴを容易に採取することができる。
【００４５】
なお、本実施形態では、出射端３１ａの環状の配置が多重に形成されている場合について説明したが、出射端３１ａの環状の配置は必ずしも多重に形成されている必要はない。また、液体通路および医療器具用の連絡通路３４の配置は、図３に示す配置に限定されない。図４に、本実施形態の出射端３１ａの環状の配置、液体通路の配置および連絡通路３４の配置の変形例を示す。
【００４６】
図４に示す変形例のレーザープローブ３０Ａにおいて、出射端３１ａの環状の配置は一層のみとされ、出射端３１ａは周方向に隙間なく隣接して配置されている。なお、出射端３１ａは周方向に隙間を開けて配置してもよいが、周方向に連続する環状の照射領域ＩＲを形成するように、複数の光ファイバー３１Ａが互いに近接して配置されていることが好ましい。これにより、生体組織ＢＴの周囲がミシン目状に途切れた状態で切断されることが防止できる。
【００４７】
また、例えば、流体通路３３の複数の開口を軸部材３２ｂの外周面の近傍に周方向に近接させて設け、冷却流体を生体組織ＢＴの照射領域ＩＲと非照射領域ＵＲとの境界の近傍に吹き付けることで、生体組織ＢＴの照射領域ＩＲから非照射領域ＵＲに伝達される熱の影響をより少なくすることが可能になる。また、中央に開口する径の大きい貫通孔を吸引装置に接続し、流体排出通路３５として用いてもよい。これにより、流体流路を介して生体組織ＢＴに吹き付けた流体を、流体排出通路３５を介して回収し、排出することができる。また、冷却気体を流体通路３３から噴出させて流体排出通路３５から吸引することで、生体組織ＢＴへのレーザー光照射時の煙等を排出するようにしてもよい。
【００４８】
また、本実施形態においては、照射部３１が平面視で円形のレーザープローブ３０について説明したが、照射部３１の平面形状は円形に限定されない。図５（ａ）および（ｂ）、図６（ａ）および（ｂ）に照射部３１の形状の変形例を示す。
【００４９】
図５（ａ）および（ｂ）に示すように、変形例のレーザープローブ３０Ｂ、３０Ｃの照射部３１は平面視で矩形であり、矩形の環状に配置された光ファイバー３１Ａの出射端３１ａは、多重の環状に配置され、または、一周のみ配置されている。同様に、図６（ａ）および（ｂ）に示すように、変形例のレーザープローブ３０Ｄ、３０Ｅの照射部３１は、平面視で楕円または長円形であり、楕円または長円形の環状に配置された光ファイバー３１Ａの出射端３１ａは、多重の環状に配置され、または一周のみ配置されている。
【００５０】
また、本実施形態においては、光ファイバー３１Ａがレーザープローブ３０の中心軸線ＣＬに沿って配置されている場合について説明したが、光ファイバー３１Ａはレーザープローブ３０の中心軸線ＣＬに交差する方向に沿って配置されていてもよい。図７に、レーザープローブ３０の変形例を示す。
【００５１】
図７に示す変形例のレーザープローブ３０Ｆにおいて、保持部材３２は、先端部がテーパ状に拡径された軸部材３２ｂと、軸部材３２ｂに対応して漏斗状に拡径された外殻３２ａとを有している。光ファイバー３１Ａの出射端３１ａは、レーザー光ＬＢを中心軸線ＣＬ方向に射出するように形成されている。なお、保持部材３２は、光ファイバー３１Ａの先端が中心軸線ＣＬ方向と平行になるように構成してもよい。
【００５２】
光ファイバー３１Ａは、中心軸線ＣＬ方向に移動して軸部材３２ｂの先端面３２ｃから突出し、出射端３１ａの環状配置の径Ｒ１，Ｒ２を調節可能に設けられる。具体的には、光ファイバー３１Ａを中心軸線ＣＬ方向に移動させ、出射端３１ａと軸部材３２ｂの先端面３２ｃとの距離Ｄを大きくすることで、出射端３１ａの環状配置の径Ｒ１を大きくすることができ、光ファイバー３１Ａの出射端３１ａと軸部材３２ｂの先端面３２ｃとの距離Ｄを小さくすることで、出射端３１ａの環状配置の径Ｒ２を小さくすることができる。
【００５３】
したがって、図７に示す変形例のレーザープローブ３０Ｆによれば、生体組織ＢＴの表面に照射されるレーザー光ＬＢによって形成される環状の照射領域ＩＲの径を調節して、採取する生体組織ＢＴの大きさを調節することが可能になる。また、出射端３１ａの環状配置の径Ｒ１が大きい状態で、生体組織ＢＴにレーザー光を照射して環状の切り込みを形成した後、径Ｒ１を縮径させることによって、切り込みの内側の生体組織ＢＴを把持することもできる。
【００５４】
以上、図面を用いて本発明の実施の形態を詳述してきたが、具体的な構成はこの実施形態に限定されるものではなく、本発明の要旨を逸脱しない範囲における設計変更等があっても、それらは本発明に含まれるものである。
【００５５】
例えば、前述の実施の形態では、照射部が複数の光ファイバーによって構成されている場合について説明したが、照射部は、生体組織の表面にレーザー光を環状に照射して該生体組織に環状の切り込みを形成するものであれば特に限定されない。例えば、照射部として筒状の光学部材を用いてもよい。また光ファイバーを結束して中央部のレーザー光を遮蔽部材によって遮蔽することで、照射部を構成してもよい。
【符号の説明】
【００５６】
１１…レーザー発生部、１１ａ…レーザー光導光路、１２…流体供給部、３０，３０Ａ−Ｆ…レーザープローブ、３１…照射部、３１Ａ…光ファイバー、３１ａ…出射端、３１Ｂ…照射面によって囲まれた領域、３２ｂ…軸部材、３２ｃ…先端面、３３…流体通路、３４…連絡通路、１００…レーザー治療装置（レーザー装置）、ＢＴ…生体組織、ＩＲ…照射領域、ＵＲ…非照射領域、ＬＢ…レーザー光、Ｒ１，Ｒ２…環状配置の径
【図１】
2015157035.tif 000003
【図２】
2015157035.tif 000004
【図３】
2015157035.tif 000005
【図４】
2015157035.tif 000006
【図５】
2015157035.tif 000007
【図６】
2015157035.tif 000008
【図７】
2015157035.tif 000009